(57)【特許請求の範囲】
【請求項１】
網体を収納、引き出し自在とした網体収納装置と、この網体の引き出し端部に連結した可動桟を備え、この可動桟を移動することで網体を引きだして張設状態とすると共に、可動桟を移動することで網体を収納状態とする収納網戸において、
前記可動桟の長手方向に連続してサッシ枠の障子の框に接触する防虫ヒレを装着し、
前記可動桟の長手方向中間部に、開閉操作用の操作部と連結部を有する網戸開閉操作部材を、その連結部がサッシ枠の障子に設けた連結突起と干渉して面内方向に連結されるように取付け、
前記網戸開閉操作部材は、その連結部がサッシ枠の障子に設けた連結突起と干渉して面内方向に連結される第１の位置と、その連結部が連結突起と干渉しない第２位置に亘って移動自在であることを特徴とする収納網戸。
【請求項２】
前記可動桟と、その可動桟のガイド部に亘って取付けられ、可動桟の網体収納方向への移動を阻止するロック状態と、許容するロック解除状態に作動するロック装置を設けた請求項１記載の収納網戸。
【請求項３】
前記網体収納装置は、ロールケース内にロールを回転自在に設け、そのロールに網体の一端部が連結された巻取り及び繰り出し型である請求項１又は２記載の収納網戸。
【発明の詳細な説明】
【０００１】
【発明の属する技術分野】
本発明は、引き違いサッシ窓などのサッシ窓に取付けられる収納網戸に関する。
【０００２】
【従来の技術】
特開平６−１５８９６０号公報に示すロール型の収納網戸が提案されている。この網戸は、引き違いサッシ窓のサッシ枠を形成する左右の縦枠に取付けた左右の巻胴と、この各巻胴に巻き掛けた左右の網体と、この各網体に連結され、かつ前記サッシ枠を形成する上枠、下枠に沿って左右に移動する左右の縦框を備え、その縦框を持って網体を繰り出すことで張設状態とすると共に、縦框を持って網体を巻き取ることで収納状態とする。
【０００３】
特開平８−３１２２７０号公報に示す折り畳み型の収納網戸が提案されている。
この網戸は、アコーディオン式に伸縮自在としたネットを、上枠部材と下枠部材と左右の側枠部材からなるサッシ装設用枠体内に取付け、このネットに取付けた操作框を、前記上枠部材のガイド溝と下枠部材のガイド溝によってガイドさせ、その操作框によりネットを伸び作動することで張設状態とし、操作框によってネットを縮み作動することで収納状態とする。
【０００４】
【課題を解決するための手段】
前述の各収納網戸においては網体、ネットを張設状態とした時に縦框、操作框とサッシ枠に装着した障子との間に隙間が生じ、その隙間から虫が室内に入り込むことがあるので、網戸として好ましくない。
【０００５】
そこで、本発明は前述の課題を解決できるようにした収納網戸を提供することを目的とする。
【０００６】
【課題を解決するための手段】
第１の発明は、網体を収納、引き出し自在とした網体収納装置と、この網体の引き出し端部に連結した可動桟を備え、この可動桟を移動することで網体を引きだして張設状態とすると共に、可動桟を移動することで網体を収納状態とする収納網戸において、
前記可動桟の長手方向に連続してサッシ枠の障子の框に接触する防虫ヒレを装着し、
前記可動桟の長手方向中間部に、開閉操作用の操作部と連結部を有する網戸開閉操作部材を、その連結部がサッシ枠の障子に設けた連結突起と干渉して面内方向に連結されるように取付け、
前記網戸開閉操作部材は、その連結部がサッシ枠の障子に設けた連結突起と干渉して面内方向に連結される第１の位置と、その連結部が連結突起と干渉しない第２位置に亘って移動自在であることを特徴とする収納網戸である。
【０００９】
第２の発明は、第１の発明において前記可動桟と、その可動桟のガイド部に亘って取付けられ、可動桟の網体収納方向への移動を阻止するロック状態と、許容するロック解除状態に作動するロック装置を設けた収納網戸である。
【００１０】
第３の発明は、第１又は第２の発明において前記網体収納装置は、ロールケース内にロールを回転自在に設け、そのロールに網体の一端部が連結された巻取り及び繰り出し型である収納網戸である。
【００１１】
【作    用】
第１の発明によれば、網体を引き出して張設状態とした時に可動桟と障子の框との間から虫が侵入することを防虫ヒレで防止できる。
【００１２】
また、サッシ枠の障子を開放することで連結突起が網戸開閉操作部材の連結部に連結され、可動桟が移動して網体が引き出しされる。
このようであるから、サッシ枠の障子開放によって網体を自動的に張設状態にできる。
【００１３】
また、網戸開閉操作部材を第１位置とすれば、サッシ枠の障子を開放することで可動桟が移動して網体が引き出しされる。
網戸開閉操作部材を第２位置とすれば、サッシ枠の障子を開閉しても可動桟が移動しない。
このようであるから、サッシ枠の障子開放によって網体を自動的に張設状態にできるし、網体に関係なくサッシ枠の障子を開放できる。
【００１４】
第２の発明によれば、ロック装置をロック状態とすることで可動桟の網体収納方向への移動を阻止できる。
このようであるから、網体を張設置状態としてロック装置をロック状態とすることで、サッシ枠の障子開閉時の振動、網体の収納方向移動力などで可動桟が網体収納方向に移動することがないから、網体を張設状態として網体に関係なくサッシ枠の障子を開閉できる。
【００１５】
第３の発明によれば、網体をロールに巻き取って収納するので、その網体の長さに比較して網体収納装置がコンパクトである。
したがって、サッシ枠に取付けた時に網体収納装置が目立つことがなく見栄えが良い。
【００１６】
【発明の実施の形態】
図１に示すように、引き違いサッシ窓のサッシ枠Ａの室外側部に収納網戸Ｂが着脱自在に取付けてある。
前記サッシ枠Ａは、上枠１と下枠２と左右の縦枠３を方形状に枠組みした形状である。
前記収納網戸Ｂは、左右一対の網体収納装置、例えば網体巻取り装置１０と、この左右一対の網体巻取り装置１０の長手方向一端部間（上部間）に横架連結した第１ガイドレール、例えば上ガイドレール２０と、長手方向他端部間（下部間）に横架連結した第２ガイドレール、例えば下ガイドレール３０と、この上ガイドレール２０と下ガイドレール３０に沿って左右に摺動する左右一対の可動桟４０と、この各可動桟４０に連結されると共に、前記各網体巻取り装置１０で巻き取り、繰り出しされ前記上ガイドレール２０、下ガイドレール３０で上下縁部がガイドされる左右一対の網体５０を有する。これによって、ロール型の収納網戸を形成している。
【００１７】
前記上枠１は図２に示すように、面外方向に向う本体部１ａと室内側上レール１ｂ、室外側上レール１ｃと網戸上レールである室外側下向片４を有し、通常の引き違いサッシ窓のサッシ枠Ａを形成する上枠と同一形状である。
前記下枠２は図２に示すように、面外方向に向う階段形状の本体部２ａに室内側下レール２ｂと室外側下レール２ｃと網戸下レールである室外側立上り片５を有し、通常の引き違いサッシ窓のサッシ枠Ａを形成する下枠と同一形状である。
【００１８】
前記縦枠３は図３に示すように、面外方向に向う本体部３ａと戸当り片３ｂと網戸当り片である室外側内向片６を有し、通常の引き違いサッシ窓のサッシ枠Ａを形成する縦枠と同一形状である。
【００１９】
前記室内側上レール１ｂと室内側下レール２ｂに沿って室内側障子７が左右移動自在に装着される。
前記室外側上レール１ｃと室外側下レール２ｃに沿って室外側障子８が左右移動自在に装着される。
これによって、通常の引き違いサッシ窓を形成する。
【００２０】
前記網体巻取り装置１０は巻取り部１０ａとベース部１０ｂを備えている。前記巻取り部１０ａはロールケース１１内にロール１２を回転自在に設け、このロール１２を図示しないスプリングで巻き取り方向に回転付勢した形状で、前記ロールケース１１は、ケース本体１３の上下にキャップ１４を取付けてある。
前記ケース本体１３は筒形状で、内側面１３ａと室内側面１３ｂは平坦面で、内側面１３ａに網体挿通口１５を有する。この網体挿通口１５の室外側開口縁に沿ってブラシ１６が室内側に向けて装着してあり、網体５０を巻き取り、繰り出しすると網体５０の室外側面がブラシ１６に摺擦して網体５０の室外側面に付着したゴミ、ホコリを除去する。
【００２１】
このようであるから、網体５０を張設状態とした時に網体５０の室外側面に付着したゴミ、ホコリを、網体５０を巻き取りする際にブラシ１６で除去することができるので、網体５０を巻き取った時に室外側面と室内側面が重なり合って接触することで網体５０の室内側面にゴミ、ホコリが付着して汚れることがない。したがって、網体５０を繰り出して張設状態とした時に網体５０はゴミ、ホコリが付着しない状態であるから、見栄えが良い。
【００２２】
前記ベース部１０ｂは矩形中空形状の本体１７と鉤片１８を有する断面形状で、その本体１７がケース本体１３の室内側面１３ｂにビス１９で固着してある。このようであるから、ビス１９を弛めることで巻取り部１０ａとベース部１０ｂを分離できる。
【００２３】
前記上ガイドレール２０は、図２に示すように中空形状の本体部２１と、この本体部２１の室外側に設けた下向きの凹溝２２と、前記本体部２１の室内側に設けた上向き鉤形状の上枠取付片２３と、この上枠取付片２３と本体部２１とで形成した上向き凹部２４を有する。
前記本体部２１の上部室内側寄りにビスホール２５を有する。
前記凹溝２２の両側内面に一対のガイド凹部２６が相対向して形成してあり、この一対のガイド凹部２６で前記可動桟４０上部を摺動ガイドする。
【００２４】
前記下ガイドレール３０は、図２に示すように、中空形状の本体部３１と、この本体部３１の室外側に設けた上向きの凹溝３２と、前記本体部３１の室内側に設けた下向き鉤形状の下枠取付片３３を有する。
前記本体部３１にはビスホール３４が形成してある。
前記凹溝３２の両側内面に一対のガイド凹部３５が相対向して形成してあり、この一対のガイド凹部３５で前記可動桟４０の下部を摺動ガイドする。
【００２５】
前記上ガイドレール２０の室外側寄り部分（凹溝２２部分）と下ガイドレール３０の室外側寄り部分（凹溝３２部分）の長手方向両端部分が、図４に示すように鉤形状に切欠きされ、その切欠部２０ａ，３０ａを前記ケース本体１３の内側面１３ａと室内側面１３ｂに接すると共に、前記ベース部１０ｂの本体１７からビス２７，３６を上ガイドレール２０、下ガイドレール３０のビスホール２５，３４に螺合してベース部１０ｂの上下部分に上下ガイドレール２０，３０が連結される。
これによって、左右一対の網体巻取り装置１０と上ガイドレール２０、下ガイドレール３０が強固に連結されて剛性大の方形枠を形成するので、ロール型の収納網戸は剛性大となり、単独で持ち運びが可能である。
【００２６】
前記可動桟４０は上ガイド４１と下ガイド４２に亘って縦材４３を連結した形状で、前記上ガイド４１に設けたガイドローラ４４が上ガイドレール２０のガイド凹部２６に沿って回転し、下ガイド４２に設けたガイドローラ４５が下ガイドレール３０のガイド凹部３５に沿って回転する。
これによって、可動桟４０は上ガイドレール２０、下ガイドレール３０に沿ってスムーズに左右に摺動する。
【００２７】
前記網体５０の一端部はケース本体１の網体挿通口１５を通してロールケース１１内に挿入し、且つロール１２に連結してある。
前記網体５０の他端部、つまり引き出し端部は前記縦材４３（可動桟４０）に連結してある。
このようであるから、可動桟４０を網体巻取り装置１０と反対側に移動して網体５０を引張ることで網体５０が繰り出されて張設状態となる。
また、可動桟４０を網体巻取り装置１０に向けて移動することで網体５０が巻き取りされて収納状態となる。
【００２８】
次に網戸をサッシ枠に取付ける手順を説明する。
網戸を垂直姿勢に対して斜めとして上ガイドレール２０の上向き凹部２４を上枠１の室外側垂下片４に嵌め込み、網戸下部を室内側に移動して垂直姿勢とすると共に、下方に移動して下ガイドレール３０の下枠取付片３３を下枠２の室外側立上り片５に係合する。つまり、網戸を上下けんどん式に取付ける。そして、上枠取付片２３に下からビス２８を螺合して室外側垂下片４に押しつける。
【００２９】
これによって、左右の網体巻取り装置１０のベース部１０ｂの鉤片１８（網体巻取り装置１０室内側部分）が縦枠３の室外側内向き片６の室外側面と端面に接して網戸がサッシ枠Ａの室外側部に取付けられる。
【００３０】
また、前記ビス２８を弛めて網戸を持ち上げて下ガイドレール３０の下枠取付片３３を下枠３の室外側立上り片５と離脱し、網戸の下部を室外側に移動しながら下方に移動することで取り外しできる。
【００３１】
また、網戸をサッシ枠Ａに取付けた状態で、室内側からビス１９を弛めることで巻取り部１０ａ（ロールケース１１）を取り外しできる。
巻取り部１０ａを取り外しすると同時に可動桟４０を上ガイドレール２０、下ガイドレール３０から外すことができる。
したがって、網体５０の交換作業が容易である。
【００３２】
前記可動桟４０の縦材４３の長手方向全長に亘って防虫ヒレ４６が室内側に向けて装着してある。
この防虫ヒレ４６は外障子８の室外側面（外障子８を形成する召合せ框８ａ、戸当り框８ｂ）に接触する。
このようであるから、外障子８と可動桟４０との間から虫が室内に入り込むことを防止できる。
【００３３】
前記可動桟４０の縦材４３における長手方向中間部に網戸開閉操作部材６０が取付けてある。
この網戸開閉操作部材６０は図５に示すように、固定部材６１と可動部材６２を備えている。その固定部材６１は縦材４３の凹部４３ａ内に嵌め込んでビス等で固定されると共に、ガイド溝６３を有し、このガイド溝６３の上部寄りに係止突部６４が一体的に設けてある。
前記可動部材６２は、前記板状の操作部６５と板状の連結部６６でＬ字形状で、その操作部６５にガイド片６７が一体的に設けてある。
前記ガイド片６７は、前記固定部材６１のガイド溝６３に沿って摺動自在で、かつ前記係止突部６４と係止する係止部６８が設けてある。
【００３４】
前記可動部材６２は固定部材６１に対して上方の第１位置と下方の第２位置に亘って移動自在に取付けられ、その係止部６８が係止突部６４に係止することで第１位置に保持される。
前記操作部６５はサッシ枠Ａの面内方向に向うと共に、指掛け用の開口部６５ａが形成してある。
前記連結部６６はサッシ枠Ａの面外方向室内側に向けて突出し、外障子８の室外側面（召合せ框８ａ、戸当り框８ｂ）よりも室外寄りで、この連結部６６は外障子８の室外側面と干渉しない。
【００３５】
前記外障子８の室外側面（召合せ框８ａ、戸当り框８ｂ）における長手方向中間部に連結突起７０が両面テープ７１等で固着してある。
前記連結突起７０は可動部材６２の連結部６６よりも面外方向室外側まで突出している。
図６（ａ）に示すように可動部材６２が第２位置の時には連結部６６が連結突起７０の下部よりも下方位置で、外障子８が面内方向に移動（開閉）しても連結突起７０が連結部６６と干渉しない。
図６（ｂ）に示すように可動部材６２が第１位置の時には連結部６６の上端部が連結突起７０の下端部分と同一高さ位置で、外障子８が面内方向に移動（開閉）すると連結突起７０が連結部６６と干渉し、面内方向に連結される。つまり、外障子８を閉じ位置から開き位置に向けて開放すると連結突起７０が連結部６６と干渉して可動桟４０が外障子８とともに移動する。
【００３６】
図３に示すように、外障子８を閉じ位置とすると共に、網体５０を収納状態とした時には、戸当り框８ｂに固着した連結突起７０は連結部６６よりも閉じ側（一方の縦枠３寄り）に位置している。
【００３７】
このようであるから、可動部材６２が第２位置の時には網戸に関係なく外障子８を開閉できる。
また、可動部材６２を第１位置として図３に示すように外障子８を閉じた状態から外障子８を開放すると、連結突起７０が可動部材６２の連結部６６に連結（干渉）して外障子８によって可動桟４０が移動するので、網体５０を張設状態とすることができる。
【００３８】
前記網戸開閉操作部材６０を可動部材６２のみとし、縦材４３に第１位置と第２位置に亘って移動自在としても良い。また、可動部材６２を第１位置で固定しても良い。
【００３９】
前記上ガイドレール２０、下ガイドレール３０の長手方向任意の位置、例えば図３に示すように内外障子召合せ部（外障子８を閉じた時の召合せ８ａと対向した位置）と、内外障子召合せ部と縦枠３との間の中間部の３ヶ所にロック装置８０が取付けてある。
【００４０】
前記ロック装置８０は図７に示すように、本体８１とロック部材８２を備えている。本体８１は矩形枠８３の４周にフランジ８４を一体的に設けた形状である。
前記ロック部材８２は矩形枠８３と略同一形状の板状で、軸８５で矩形枠８３に上下揺動自在に取付けられる。
前記ロック部材８２はコイルスプリング８６で本体８１の上面から突出した斜め上向き姿勢のロック位置に揺動付勢される。ロック部材８２を下方に揺動して係止突片８７を矩形枠８３の係止受片８８に係止することで本体８１の上面と略面一で矩形枠８３を閉塞するロック解除位置に保持される。
【００４１】
前記下ガイドレール３０の室内側部分に矩形状の穴８９が形成され、この穴８９に矩形枠８３を嵌め込んで本体８１を下ガイドレール３０に図８に示すように固着する。
前記ロック部材８２は可動桟４０の下ガイド４２室内側部よりも室外側に位置する。ロック部材８２がロック位置の時には下ガイド４２と干渉する。ロック部材８２が非ロック位置の時には下ガイド４２と干渉しない。
【００４２】
このようであるから、可動桟４０をロック装置８０を通過した位置まで移動して網体５０を張設状態とし、この状態でロック部材８２をロック位置とすると可動桟４０の下ガイド４２がロック部材８２と干渉して可動桟４０の網体５０を巻き取る方向への移動を阻止する。
したがって、網体５０を張出状態とした時に網体５０の巻き取り方向の引張力、外障子８の開閉時の振動などで可動桟４０が移動することがなく、網体５０を張出状態に保持できるので、網体５０を張出状態として外障子８を網体５０に関係なく開閉操作できる。
【００４３】
前記ロック装置８０は縦材４３に上下動自在に設けたロック杆と、下ガイドレール３０に形成したロック穴で形成しても良い。
この場合には可動桟４０を所定位置まで移動し、ロック杆をロック穴に嵌入することで可動桟４０をロックする。
ロック杆をロック穴から抜き出すことで可動桟４０のロックを解除する。
【００４４】
つまり、前記ロック装置８０は下ガイドレール３０と可動桟４０に亘って設けられ、可動桟４０の網体巻き取り方向に移動を阻止するロック状態と、許容するロック解除状態に作動するものであれば良い。
【００４５】
以上の実施形態では引き違いサッシ窓のサッシ枠の室外側部に取付けしたが、片引きサッシ窓、４枚建てサッシ窓、上げ下げ窓のサッシ枠の室外側部に取付けることも可能である。
また、前記各窓のサッシ枠の室内側部に取付けるようにしても良い。
また、１つの網戸巻取り装置１０と上ガイドレール２０と下ガイドレール３０でコ字状としても良い。この場合には上ガイドレール２０と下ガイドレール３０の網戸巻取り装置１０と反対側部用に亘って補強連結材を連結することも可能である。
【００４６】
前記網体収納装置は、網体５０にプリーツを施すことによりアコーディオン式に伸縮自在とし、その網体５０をケース内に収納すると共に、引き出し端部を可動桟４０に連結し、その可動桟４０を移動することで伸び作動して張設状態とすると共に、縮み作動して収納状態とする折り畳み型の網体収納装置としても良い。
つまり、網体収納装置は網体５０を収納及び引き出し自在な形状であれば良い。
【００４７】
また、上ガイドレール２０と下ガイドレール３０を用いずに可動桟４０をサッシ枠、例えば上枠１と下枠２に沿って移動自在としても良い。
【００４８】
【発明の効果】
請求項１に係る発明によれば、網体を引き出して張設状態とした時に可動桟と障子の框との間から虫が侵入することを防虫ヒレで防止できる。
【００４９】
また、サッシ枠の障子を開放することで連結突起が網戸開閉操作部材の連結部に連結され、可動桟が移動して網体が引き出しされる。
このようであるから、サッシ枠の障子開放によって網体を自動的に張設状態にできる。
【００５０】
また、網戸開閉操作部材を第１位置とすれば、サッシ枠の障子を開放することで可動桟が移動して網体が引き出しされる。
網戸開閉操作部材を第２位置とすれば、サッシ枠の障子を開閉しても可動桟が移動しない。
このようであるから、サッシ枠の障子開放によって網体を自動的に張設状態にできるし、網体に関係なくサッシ枠の障子を開放できる。
【００５１】
請求項２に係る発明によれば、ロック装置をロック状態とすることで可動桟の網体収納方向への移動を阻止できる。
このようであるから、網体を張設置状態としてロック装置をロック状態とすることで、サッシ枠の障子開閉時の振動、網体の収納方向移動力などで可動桟が網体収納方向に移動することがないから、網体を張設状態として網体に関係なくサッシ枠の障子を開閉できる。
【００５２】
請求項３に係る発明によれば、網体をロールに巻き取って収納するので、その網体の長さに比較して網体収納装置がコンパクトである。
したがって、サッシ枠に取付けた時に網体収納装置が目立つことがなく見栄えが良い。
【図面の簡単な説明】
【図１】本発明の実施形態を示すロール型の収納網戸を備えた引き違いサッシ窓の外観図である。
【図２】図１のＣ−Ｃ線縦断面図である。
【図３】図１の横断面図である。
【図４】網体収納装置と上ガイドレール、下ガイドレールの分解平面図である。
【図５】網戸開閉操作部材の分解斜視図である。
【図６】網戸開閉操作部材の動作説明用斜視図である。
【図７】ロック装置の分解斜視図である。
【図８】ロック装置取付部分の斜視図である。
【符号の説明】
１…上枠
２…下枠
３…縦枠
４…室外側垂下片
５…室外側立上り片
６…室外側内向片
１０…網体巻取り装置（網体収納装置）
１０ａ…巻取り部
１０ｂ…ベース部
１１…ロールケース
１２…ロール
１６…ブラシ
２０…上ガイドレール（第１ガイドレール）
２４…上向き凹部
３０…下ガイドレール（第２ガイドレール）
３３…下枠取付片
４０…可動桟
４６…防虫ヒレ
５０…網体
６０…網戸開閉操作部材
６１…固定部材
６２…可動部材
６５…操作部
６６…連結部
７０…連結突起
８０…ロック装置
８２…ロック部材
【図１】
0003622077.tif 000002
【図２】
0003622077.tif 000003
【図３】
0003622077.tif 000004
【図４】
0003622077.tif 000005
【図５】
0003622077.tif 000006
【図６】
0003622077.tif 000007
【図７】
0003622077.tif 000008
【図８】
0003622077.tif 000009